(57)【要約】【課題】簡易な方式構成で操作性のよい無線ＬＡＮシステムにおける無線周波数設定手段を提供する。【解決手段】パソコン１にはＣＰＵ１０とアプリケーションソフトウェア用のメモリ１１と移動端末２とのインタフェースを司るドライバー１２があり、移動端末２はパソコンとのインタフェースを司るＰＣインタフェース回路１３と各種動作をコントロールする制御回路１４とデータ類を記憶するメモリ１５とパソコン１から送られてくる周波数情報を設定する周波数設定回路１６と設定された周波数が使用されているかどうかを調べる周波数判定回路１８とアクセスポイントとの無線通信を行う無線送受信回路１７とで構成され、地域毎の周波数仕様に合っているかまた使用されている周波数かどうかの自動識別を行うことにより、少ない選定操作で周波数決定に至ることができる無線周波数設定手段を有する。【選択図】　　　図２
2004112642.tif 000002
【特許請求の範囲】
【請求項１】
有線ネットワークで接続されたアクセスポイント及び保守装置と、前記アクセスポイントと無線通信を行う移動端末とを含む装置で構成された無線ＬＡＮシステムであって、
前記無線ＬＡＮシステムは、通信するための無線周波数を設定する際に、それぞれの装置に入力された地域情報を基にそれぞれの装置内に記憶されている無線周波数データの中から当該地域で使用可能な無線周波数を選択する手段を有することを特徴とする無線ＬＡＮシステム。
【請求項２】
前記記憶されている無線周波数データは、地域情報と当該地域情報に対応する全ての許可されている無線周波数値とによって構成されていることを特徴とする請求項１記載の無線ＬＡＮシステム。
【請求項３】
前記使用可能な無線周波数を選択する手段は、前記地域に許可されている全ての無線周波数値を用いて受信動作を行い、当該受信動作の結果、キャリアビジーとならなかった無線周波数を使用可能周波数として保守者及びユーザに送り、保守者及びユーザが当該使用可能周波数の中から通信周波数を選択すること特徴とする請求項１及び請求項２記載の無線ＬＡＮシステム。
【請求項４】
アクセスポイントのマンマシンインターフェースを有する保守装置と、有線ネットワークに接続されたアクセスポイントと、前記アクセスポイントと無線通信を行う移動端末とを含む装置で構成された無線ＬＡＮシステムであって、
前記アクセスポイントは、当該アクセスポイントと移動端末が通信するための無線周波数を設定する際に、保守装置のマンマシンインターフェースより入力された地域情報を基に保守装置もしくはアクセスポイントに記憶されている当該地域に許可されている全ての無線周波数値を用いて受信動作を行い、当該受信動作の結果キャリアビジーとならなかった無線周波数を使用可能周波数として保守者に送り、保守者が当該使用可能周波数の中から通信周波数を選択する手段を有し、
前記移動端末は、当該移動端末とアクセスポイントが通信するための無線周波数を設定する際に、移動端末のマンマシンインターフェースより入力された地域情報を基に移動端末に記憶されている当該地域に許可されている全ての無線周波数値を用いて受信動作を行い、当該受信動作の結果キャリアビジーとならなかった無線周波数を使用可能周波数としてユーザに送り、ユーザが当該使用可能周波数の中から通信周波数を選択する手段を有することを特徴とする無線ＬＡＮシステム。
【請求項５】
アクセスポイントと無線通信を行う無線ＬＡＮシステムの移動端末であって、
前記移動端末は、前記アクセスポイントと通信するための無線周波数を設定する際に、当該端末に入力された地域情報を基に端末内に記憶されている無線周波数データの中から当該地域で使用可能な無線周波数を選択する手段を有することを特徴とする移動端末。
【請求項６】
前記記憶されている無線周波数データは、地域情報と当該地域情報に対応する全ての許可されている無線周波数値とによって構成されていることを特徴とする請求項５記載の移動端末。
【請求項７】
前記使用可能な無線周波数を選択する手段は、前記地域に許可されている全ての無線周波数値を用いて受信動作を行い、当該受信動作の結果、キャリアビジーとならなかった無線周波数を使用可能周波数としてユーザに送り、ユーザが当該使用可能周波数の中から通信周波数を選択すること特徴とする請求項５及び請求項６記載の移動端末。
【請求項８】
アクセスポイントと無線通信を行う無線ＬＡＮシステムの移動端末であって、
前記移動端末は、当該移動端末とアクセスポイントが通信するための無線周波数を設定する際に、移動端末のマンマシンインターフェースより入力された地域情報を基に移動端末に記憶されている当該地域に許可されている全ての無線周波数値を用いて受信動作を行い、当該受信動作の結果キャリアビジーとならなかった無線周波数を使用可能周波数としてユーザに送り、ユーザが当該使用可能周波数の中から通信周波数を選択する手段を有することを特徴とする移動端末。
【請求項９】
保守装置と有線ネットワークで接続され、移動端末と無線通信を行う無線ＬＡＮシステムのアクセスポイントであって、
前記アクセスポイントは、前記移動端末と通信するための無線周波数を設定する際に、当該保守装置に入力された地域情報を基にアクセスポイントもしくは保守装置内に記憶されている無線周波数データの中から当該地域で使用可能な無線周波数を選択する手段を有することを特徴とするアクセスポイント。
【請求項１０】
前記記憶されている無線周波数データは、地域情報と当該地域情報に対応する全ての許可されている無線周波数値とによって構成されていることを特徴とする請求項９記載のアクセスポイント。
【請求項１１】
前記使用可能な無線周波数を選択する手段は、前記地域に許可されている全ての無線周波数値を用いて受信動作を行い、当該受信動作の結果、キャリアビジーとならなかった無線周波数を使用可能周波数として保守者に送り、保守者が当該使用可能周波数の中から通信周波数を選択すること特徴とする請求項９及び請求項１０記載のアクセスポイント。
【請求項１２】
アクセスポイントのマンマシンインターフェースを有する保守装置と有線ネットワークで接続され、移動端末と無線通信を行う無線ＬＡＮシステムのアクセスポイントであって、
前記アクセスポイントは、当該アクセスポイントと移動端末が通信するための無線周波数を設定する際に、保守装置のマンマシンインターフェースより入力された地域情報を基に保守装置もしくはアクセスポイントに記憶されている当該地域に許可されている全ての無線周波数値を用いて受信動作を行い、当該受信動作の結果キャリアビジーとならなかった無線周波数を使用可能周波数として保守者に送り、保守者が当該使用可能周波数の中から通信周波数を選択する手段を有することを特徴とするアクセスポイント。
【請求項１３】
有線ネットワークで接続されたアクセスポイント及び保守装置と、前記アクセスポイントと無線通信を行う移動端末とを含む装置で構成された無線ＬＡＮシステムの周波数設定方法であって、
前記周波数設定方法は、無線ＬＡＮシステムが通信するための無線周波数を設定する際に、それぞれの装置に入力された地域情報を基にそれぞれの装置内に記憶されている無線周波数データの中から当該地域で使用可能な無線周波数を選択することを特徴とする無線ＬＡＮシステムの周波数設定方法。
【請求項１４】
前記記憶されている無線周波数データは、地域情報と当該地域情報に対応する全ての許可されている無線周波数値とによって構成されていることを特徴とする請求項１３記載の無線ＬＡＮシステムの周波数設定方法。
【請求項１５】
前記使用可能な無線周波数を選択することは、前記地域に許可されている全ての無線周波数値を用いて受信動作を行い、当該受信動作の結果、キャリアビジーとならなかった無線周波数を使用可能周波数として保守者及びユーザに送り、保守者及びユーザが当該使用可能周波数の中から通信周波数を選択すること特徴とする請求項１３及び請求項１４記載の無線ＬＡＮシステムの周波数設定方法。
【請求項１６】
アクセスポイントのマンマシンインターフェースを有する保守装置と、有線ネットワークに接続されたアクセスポイントと、前記アクセスポイントと無線通信を行う移動端末とを含む装置で構成された無線ＬＡＮシステムの周波数設定方法であって、
前記アクセスポイントは、当該アクセスポイントと移動端末が通信するための無線周波数を設定する際に、保守装置のマンマシンインターフェースより入力された地域情報を基に保守装置もしくはアクセスポイントに記憶されている当該地域に許可されている全ての無線周波数値を用いて受信動作を行い、当該受信動作の結果キャリアビジーとならなかった無線周波数を使用可能周波数として保守者に送り、保守者が当該使用可能周波数の中から通信周波数を選択し、
前記移動端末は、当該移動端末とアクセスポイントが通信するための無線周波数を設定する際に、移動端末のマンマシンインターフェースより入力された地域情報を基に移動端末に記憶されている当該地域に許可されている全ての無線周波数値を用いて受信動作を行い、当該受信動作の結果キャリアビジーとならなかった無線周波数を使用可能周波数としてユーザに送り、ユーザが当該使用可能周波数の中から通信周波数を選択することを特徴とする無線ＬＡＮシステムの周波数設定方法。
【発明の詳細な説明】
【０００１】
【発明の属する技術分野】
本発明は、無線ＬＡＮ（Ｌｏｃａｌ　Ａｒｅａ　Ｎｅｔｗｏｒｋ）システムの周波数設定方式とその方法に関し、特に、少ない選定操作で周波数決定に至ることができる無線ＬＡＮにおける周波数設定方式とその方法である。
【０００２】
【従来の技術】
無線ＬＡＮとは、パソコンなどの端末機器と構内通信網（ＬＡＮ：ＬｏｃａｌＡｒｅａ　Ｎｅｔｗｏｒｋ）の間の接続線（ＬＡＮ支線）を無線化するものである。無線ＬＡＮの導入メリットとしては大きく分けて二つあり、一つはＬＡＮ支線の配線工事が不要になることで、机の配置を変更するたびに面倒な配線工事をする必要がなくなりオフィスレイアウト変更時のコストが削減できる。
【０００３】
もう一つのメリットとしては、ノートパソコンとの組み合わせにより、場所を移動してもそのまま自席と同じ環境でＬＡＮに接続できることである。例えば、応接室などでのプレゼンテーションの際に急に必要となったファイルをＬＡＮ経由で取り出したり、無線ＬＡＮを装備したノートパソコンを持ち寄ってペーパーレス会議を行ったり、打合せをしながら文書を変更するような共同作業を効率的に行うことができる。その結果、業務の効率化、機動性／即応性の向上を図ることができる。
【０００４】
近年、このような無線ＬＡＮを設置するケースが増えており、特に無線ＬＡＮ通信装置を装備したノートパソコン等の端末を所持して場所を移動しながらそれぞれの地域に設置された構内通信網（ＬＡＮ）と通信する場合には、予め決められた無線通信手順に基づいて通信を確立しており、ＩＥＥＥ８０２．１１．ａ等の規定に従う無線ＬＡＮシステムのアクセスポイント（ＡＰ：Ａｃｃｅｓｓ　Ｐｏｉｎｔ）及び移動端末は、設置された地域や移動した地域に割り当てられた無線周波数と同じ周波数に同調することにより、通信できるようになっている。
【０００５】
また、アクセスポイントが設置されていない地域に移動した場合は、移動端末同士で通信することができるアドホック通信があり、このような場合においても移動した地域に割り当てられた無線周波数の内、始めに通信を行う移動端末が決めた無線周波数を使って移動端末同士の通信確立を行っている。
【０００６】
このようなアクセスポイント及び移動端末において無線周波数を設定する従来のやり方は、機器内において地域毎に割り当てられた複数の無線周波数を固定的に記憶しており、この記憶された周波数の内通常アクセスポイントや移動端末の工場出荷時に予め設定されている初期値（デフォルト値）を用いて通信開始時の無線周波数を決定していた。
【０００７】
図１１は、従来の無線ＬＡＮシステムにおけるアクセスポイントと移動端末のブロック構成図である。図１１に示すように、例えば日本という地域で使用されるアクセスポイント５は、日本に割り当てられた無線周波数に関する周波数データ３４が予め記憶されており、この周波数データに基づいて無線周波数を設定する周波数設定回路３３と、設定された無線周波数を用いて移動端末との無線通信を行う無線送受信回路２７とで構成されている。
【０００８】
また、日本という地域で使用される移動端末２は、日本に割り当てられた無線周波数に関する周波数データ３２が予め記憶されており、この周波数データに基づいて無線周波数を設定する周波数設定回路３１と、設定された無線周波数を用いてアクセスポイント又は移動端末との無線通信を行う無線送受信回路１７とで構成されている。
【０００９】
図１２は、５．２ＧＨｚ帯広帯域移動アクセスシステム（５ＧＨｚ帯無線ＬＡＮシステム）の日本、米国及び欧州におけるチャネル配置（無線周波数割り当て）図である。図１２に示すように、日本における周波数配置は中心周波数として５１７０ＭＨｚ、５１９０ＭＨｚ、５２１０ＭＨｚ、５２３０ＭＨｚの無線周波数が割り当てられている。
【００１０】
また、米国及び欧州における周波数配置は中心周波数として５１８０ＭＨｚ、５２００ＭＨｚ、５２２０ＭＨｚ、５２４０ＭＨｚ、５２６０ＭＨｚ、５２８０ＭＨｚ、５３００ＭＨｚ、５３２０ＭＨｚの無線周波数が割り当てられており、日本の周波数配置と異なる周波数が割り当てられている。
【００１１】
【発明が解決しようとする課題】
これまで説明した従来の周波数設定方式は、アクセスポイントや移動端末が使用される地域に割り当てられた周波数を固定的に設定しており、予め設定完了したアクセスポイントや移動端末を他の地域に設置もしくは移動した場合は、そのままでは使用できないという問題があった。
【００１２】
また、移動端末出荷時の初期値（デフォルト値）を用いて無線周波数を決定した場合は、無線ＬＡＮに収容される多くの移動端末が同じ周波数を使うことになり、一部の周波数におけるトラヒック集中や混信等の問題を発生させていた。
【００１３】
即ち、無線ＬＡＮシステムの場合は地域によって使用できる周波数が異なるケースがあり、５ＧＨｚ帯の無線ＬＡＮではＩＥＥＥ８０２．１１ａ準拠のものでも日本や米国での使用可能な周波数帯が異なって定義されている。このため日本向けに出荷された装置（アクセスポイント、移動端末）は日本仕様の周波数のみ使用できるように設定され、これを米国に持っていって通信しようとすると米国仕様の周波数に再設定する必要があり、操作性のよい周波数設定方式が求められていた。
【００１４】
本発明は上記に鑑みてなされたもので、その目的とするところは、各地域毎の仕様に合っているか、また使用されていない空き周波数かどうかの自動識別を行った周波数情報をユーザに提示することにより、少ない選定操作で周波数決定に至ることができる操作性の良い無線ＬＡＮシステムの周波数設定手段を提供することにある。
【００１５】
【課題を解決するための手段】
上記の課題を解決するためになされた本発明は、有線ネットワークで接続されたアクセスポイント及び保守装置と、前記アクセスポイントと無線通信を行う移動端末とを含む装置で構成された無線ＬＡＮシステムであって、前記無線ＬＡＮシステムは、通信するための無線周波数を設定する際に、それぞれの装置に入力された地域情報を基にそれぞれの装置内に記憶されている無線周波数データの中から当該地域で使用可能な無線周波数を選択する手段を有することを具備させる。
【００１６】
即ち、各地域毎の周波数仕様に合っているか、また使用されていない空き周波数かどうかの自動識別を行った周波数情報をユーザ及び保守者に提示することにより、少ない選定操作で周波数決定に至ることができる。
【００１７】
また、前記記憶されている無線周波数データは、地域情報と当該地域情報に対応する全ての許可されている無線周波数値とによって構成されていることを具備してもよい。
【００１８】
また、前記使用可能な無線周波数を選択する手段は、前記地域に許可されている全ての無線周波数値を用いて受信動作を行い、当該受信動作の結果、キャリアビジーとならなかった無線周波数を使用可能周波数として保守者及びユーザに送り、保守者及びユーザが当該使用可能周波数の中から通信周波数を選択することを具備してもよい。
【００１９】
また、アクセスポイントのマンマシンインターフェースを有する保守装置と、有線ネットワークに接続されたアクセスポイントと、前記アクセスポイントと無線通信を行う移動端末とを含む装置で構成された無線ＬＡＮシステムであって、前記アクセスポイントは、当該アクセスポイントと移動端末が通信するための無線周波数を設定する際に、保守装置のマンマシンインターフェースより入力された地域情報を基に保守装置もしくはアクセスポイントに記憶されている当該地域に許可されている全ての無線周波数値を用いて受信動作を行い、当該受信動作の結果キャリアビジーとならなかった無線周波数を使用可能周波数として保守者に送り、保守者が当該使用可能周波数の中から通信周波数を選択する手段を有し、　前記移動端末は、当該移動端末とアクセスポイントが通信するための無線周波数を設定する際に、移動端末のマンマシンインターフェースより入力された地域情報を基に移動端末に記憶されている当該地域に許可されている全ての無線周波数値を用いて受信動作を行い、当該受信動作の結果キャリアビジーとならなかった無線周波数を使用可能周波数としてユーザに送り、ユーザが当該使用可能周波数の中から通信周波数を選択する手段を有することを具備してもよい。
【００２０】
【発明の実施の形態】
以下に図面を参照しつつ、本発明の実施の形態を説明する。図１は、本発明を構成している無線ＬＡＮシステムの移動端末に無線周波数設定手段を設けた例における全体概要ブロック構成図である。図１に示すように、地域毎に設置されるアクセスポイント４とアクセスポイント５は構内通信網（ＬＡＮ）６に接続され、構内通信網６には外部の公衆通信網であるインターネット９が接続されている。各アクセスポイントにはアンテナ８が設けられており、それぞれ無線通信を行うための電波を放射している。そして、アクセスポイント４によってサービスエリア４ａが構成され、アクセスポイント５によってサービスエリア５ａが構成されている。
【００２１】
なお、サービスエリア５ａ内に移動端末２が移動（在圏）しており、アンテナ３を経由してアクセスポイント５と無線通信を行っており、移動端末２にはパソコン１とメモリ１５が接続されている。
【００２２】
また、構内通信網（ＬＡＮ）６は、有線ネットワークのことであり、ワイヤーケーブルや光ファバーケーブル等と、ルータやハブ等のネットワーク機器で構成されている。
【００２３】
図２は、無線ＬＡＮシステムの移動端末に無線周波数設定手段を設けた例におけるパソコン（ＰＣ）１と移動端末（ＭＴ）２のブロック構成図である。図２に示すように、パソコン１には制御を行うＣＰＵ１０と、アプリケーションソフトウェアが記憶されているメモリ１１と、当該ＣＰＵ１０と移動端末２との情報インタフェースを司るドライバー１２が搭載されており、移動端末２はパソコンとのインタフェースを司るＰＣインタフェース回路１３と、各種動作をコントロールする制御回路１４と、制御動作に伴うデータ類を記憶するメモリ１５と、パソコン１から送られてくる無線周波数情報を無線送受信回路１７に設定する周波数設定回路１６と、各地域毎の周波数が使用されていない空き周波数かどうかを調べる周波数判定回路１８と、アクセスポイントとの無線通信を行う無線送受信回路１７とで構成されている。
【００２４】
なお、図２のブロック構成図では、無線ＬＡＮシステムのパソコン１と移動端末２における周波数設定手段に関するブロック構成部分のみを記載しており、他の動作（通常のデータ送受信動作等）に関するブロック構成部分は省略している。
【００２５】
図３は、移動端末２のメモリ１５内に設けられている地域／周波数情報のメモリマップ図である。図３に示すように、地域情報と当該地域で使用が許可されている周波数情報とが対になって記憶されており、パソコン１より入力された地域情報を基に図３のメモリマップ図を検索すると当該地域で使用が許可されている具体的周波数情報全てを取り出すことができる。例えば、日本における屋内使用という地域情報を基に検索すると、５１７０ＭＨｚ、５１９０ＭＨｚ、５２１０ＭＨｚ、５２３０ＭＨｚの４波の周波数情報を取り出すことができる。
【００２６】
なお、上記のメモリマップ図には、５．２ＧＨｚ帯広帯域移動アクセスシステム（５ＧＨｚ帯無線ＬＡＮシステム）の日本（屋内）の地域／周波数情報の他に米国（屋内）、米国（屋内／屋外）、欧州（屋内）の地域／周波数情報の例が記載されており、当該検索動作と取り出した周波数情報をパソコン１に送る動作並びに最終的に選択された無線周波数を周波数設定回路１６に送り込む動作は、制御回路１４が司るようになっている。
【００２７】
図４は、無線ＬＡＮシステムの移動端末に無線周波数設定手段を設けた例における周波数設定動作フローチャート図である。図４に示すように、パソコン１と移動端末２の電源を投入すると当該移動端末は、近傍に設置されているアクセスポイントとの無線通信を可能とするために周波数設定動作を開始する（ステップＳ１）。最初にＣＰＵ１０からの制御によりパソコン１のメモリ１１に記憶されているアプリケーションソフトウェアが立ち上がり、ユーザに対して現在の位置する地域情報を入力するように促すメッセージ画面が現れ、入力待ちとなる（ステップＳ２）。ユーザは、パソコン１より移動端末２の位置する地域情報を入力する（ステップＳ３）。
【００２８】
ここで入力された地域情報は、ＣＰＵ１０によりドライバー１２と移動端末２のＰＣインタフェース回路１３を経由して移動端末２の制御回路１４に送られ、制御回路１４は当該地域情報を基に予めメモリ回路に記憶されている図３に記載されているメモリマップ図を検索する。そして、メモリマップ図を検索した結果、当該地域で使用が許可されている具体的周波数情報全てを取り出し、この周波数情報を順番に周波数設定回路１６に送り、無線送受信回路１７の周波数設定を行ってから受信動作を行う。
【００２９】
無線送受信回路１７は、この受信動作の結果を周波数判定回路１８に送り、周波数判定回路１８では当該周波数毎に使用中か、使用されていない空きの状態かを調べ、この結果を制御回路１４に送る（ステップＳ４）。
【００３０】
なお、この無線送受信回路１７と周波数判定回路１８による周波数毎の使用中か、使用されていない空きの状態かの調査動作は、周波数毎に受信信号が復調できるかどうかで調査を行い、キャリアビジーとなったら使用中と判定し、キャリアビジーとならなかったら使用可能と判定する（ステップＳ５）。
【００３１】
制御回路１４は、周波数判定回路１８からの判定結果から使用可能な周波数情報がある場合は、当該周波数情報をＰＣインタフェース回路１３とドライバー１２を経由してパソコン１のＣＰＵ１０に送り、パソコン画面上のアプリケーションソフトウェア１１に表示する（ステップＳ６）。ユーザは、パソコン画面上に表示された使用可能な周波数の中からクリック選択して周波数を選定し、選定された周波数情報は再び移動端末２の制御回路１４に送られ、周波数設定回路１６において周波数設定が行われて動作が完了する（ステップＳ７）。
【００３２】
一方、ステップＳ５において、移動端末が位置する地域において使用できる周波数がない場合はユーザの指定した地域情報の入力が間違っている可能性もあり、再度ＰＣ画面上に移動端末の位置を聞くメッセージが表示され、入力待ちとなる（ステップＳ８）。ユーザは、パソコン１より移動端末２の位置する地域情報を再度入力する（ステップＳ９）。
【００３３】
入力された地域情報は、ＣＰＵ１０によりドライバー１２と移動端末２のＰＣインタフェース回路１３を経由して制御回路１４に送られ、制御回路１４は当該地域情報を基に予めメモリ回路に記憶されている図３に記載されているメモリマップ図を再度検索する。そして、メモリマップ図を検索した結果、当該地域で使用が許可されている具体的周波数情報全てを取り出し、この周波数情報を順番に周波数設定回路１６に送り、無線送受信回路１７の周波数設定を行ってから再度受信動作を行う。
【００３４】
無線送受信回路１７は、この受信動作の結果を周波数判定回路１８に送り、周波数判定回路１８では当該周波数毎に使用中か、使用されていない空きの状態かを再度調べ（ステップＳ１０）、この結果を制御回路１４に送る。
【００３５】
制御回路１４は、周波数判定回路１８からの判定結果から設定可能な周波数情報がある場合は、ステップＳ６へ移行し、設定可能な周波数がない場合は、周波数設定ができない旨の情報をＰＣインタフェース回路１３とドライバー１２を経由してパソコン１のＣＰＵ１０に送り（ステップＳ１１）、ＣＰＵ１０はパソコン画面上のアプリケーションソフトウェア１１に対して周波数設定ができない旨の表示指示を行い、周波数設定ができないことによる通信不可動作となって終了する（ステップＳ１２）。
【００３６】
図５は、本発明を構成している無線ＬＡＮシステムのアクセスポイントに無線周波数設定手段を設けた例における全体概要ブロック構成図である。これは、図１乃至図４で説明した移動端末に設けた無線周波数設定手段をアクセスポイントに適用したものであり、図１乃至図４で説明したものと同様の部分に関しては同一の番号を付して説明している。
【００３７】
地域毎に設置されるアクセスポイント４とアクセスポイント５は構内通信網（ＬＡＮ）６に接続され、構内通信網６には保守パソコン（ＰＣ）７と外部の公衆通信網であるインターネット９が接続されている。各アクセスポイントにはメモリ２５とアンテナ８が設けられており、それぞれ無線通信を行うためにアンテナ８から電波を放射している。そして、アクセスポイント４によってサービスエリア４ａが構成され、アクセスポイント５によってサービスエリア５ａが構成されている。
【００３８】
なお、サービスエリア５ａ内に移動端末２が移動（在圏）しており、アンテナ３を経由してアクセスポイント５と無線通信を行っており、移動端末２にはパソコン１が接続されている。
【００３９】
また、構内通信網（ＬＡＮ）６は、有線ネットワークのことであり、ワイヤーケーブルや光ファバーケーブル等と、ルータやハブ等のネットワーク機器で構成されている。
【００４０】
図６は、無線ＬＡＮシステムのアクセスポイントに無線周波数設定手段を設けた例における保守パソコン（ＰＣ）７とアクセスポイント５のブロック構成図である。図６に示すように、保守パソコン７には制御を行うＣＰＵ２０と、アプリケーションソフトウェアが記憶されているメモリ２１と、当該ＣＰＵ２０と構内通信網６を経由してアクセスポイント５との情報インタフェースを司るドライバー２２が搭載されており、アクセスポイント５は構内通信網６を経由して保守パソコンとのインタフェースを司るＬＡＮインタフェース回路２３と、各種動作をコントロールする制御回路２４と、制御動作に伴うデータ類を記憶するメモリ回路２５と、保守パソコン７から送られてくる無線周波数情報を無線送受信回路２７に設定する周波数設定回路２６と、各地域毎の周波数が使用されていない空き周波数かどうかを調べる周波数判定回路２８と、移動端末との無線通信を行う無線送受信回路２７とで構成されている。
【００４１】
なお、図６のブロック構成図では、無線ＬＡＮシステムの保守パソコン７とアクセスポイント５における周波数設定手段に関するブロック構成部分のみを記載しており、他の動作（通常のデータ送受信動作等）に関するブロック構成部分は省略している。
【００４２】
図７は、無線ＬＡＮシステムのアクセスポイントに無線周波数設定手段を設けた例における周波数設定動作フローチャート図である。図７に示すように、アクセスポイント５を設置した後に保守パソコン７とアクセスポイント５の電源を投入すると当該アクセスポイントは、近傍に移動している移動端末との無線通信を可能とするために周波数設定動作を開始する（ステップＳ２１）。最初に保守パソコン７のＣＰＵ２０からの制御により保守パソコン７のメモリ２１に記憶されているアプリケーションソフトウェアが立ち上がり、保守者に対して現在の位置する地域情報を入力するように促すメッセージ画面が現れ、入力待ちとなる（ステップＳ２２）。保守者は、保守パソコン７よりアクセスポイント５の位置する地域情報を入力する（ステップＳ２３）。
【００４３】
ここで入力された地域情報は、ＣＰＵ２０によりドライバー２２と構内通信網６とアクセスポイント５のＬＡＮインタフェース回路２３を経由してアクセスポイント５の制御回路２４に送られ（ステップＳ２４）、制御回路２４は当該地域情報を基に予めメモリ２５に記憶されているメモリマップ図を検索する。そして、メモリマップ図を検索した結果、当該地域で使用が許可されている具体的周波数情報全てを取り出し、この周波数情報を順番に周波数設定回路２６に送り、無線送受信回路２７の周波数設定を行ってから受信動作を行う。
【００４４】
無線送受信回路２７は、この受信動作の結果を周波数判定回路２８に送り、周波数判定回路２８では当該周波数毎に使用中か、使用されていない空きの状態かを調べ、この結果を制御回路２４に送る（ステップＳ２５）。
【００４５】
なお、この無線送受信回路２７と周波数判定回路２８による周波数毎の使用中か、使用されていない空きの状態かの調査動作は、周波数毎に受信信号が復調できるかどうかで調査を行い、キャリアビジーとなったら使用中と判定し、キャリアビジーとならなかったら使用可能と判定する（ステップＳ２６）。
【００４６】
制御回路２４は、周波数判定回路２８からの判定結果から使用可能な周波数情報がある場合は、当該周波数情報をＬＡＮインタフェース回路２３と構内通信網６とドライバー２２を経由して保守パソコン７のＣＰＵ２０に送り、パソコン画面上のアプリケーションソフトウェアに表示する（ステップＳ２７）。保守者は、パソコン画面上に表示された使用可能な周波数の中からクリック選択して周波数を決定し、決定された周波数情報は再びアクセスポイント５の制御回路２４に送られ、周波数設定回路２６において周波数設定が行われて動作が完了する（ステップＳ２８）。
【００４７】
一方、ステップＳ２６において、アクセスポイントを設置した地域において使用できる周波数がない場合は保守者の指定した地域情報の入力が間違っている可能性もあり、再度保守パソコン画面上にアクセスポイントの設置場所（地域）を聞くメッセージが表示され、入力待ちとなる（ステップＳ２９）。保守者は、保守パソコン７よりアクセスポイント５の位置する地域情報を再度入力する（ステップＳ３０）。
【００４８】
入力された地域情報は、ＣＰＵ２０によりドライバー２２と構内通信網６とアクセスポイント５のＬＡＮインタフェース回路２３を経由して制御回路２４に送られ（ステップＳ３１）、制御回路２４は当該地域情報を基に予めメモリ回路に記憶されているメモリマップ図を再度検索する。そして、メモリマップ図を検索した結果、当該地域で使用が許可されている具体的周波数情報全てを取り出し、この周波数情報を順番に周波数設定回路２６に送り、無線送受信回路２７の周波数設定を行ってから再度受信動作を行う。
【００４９】
無線送受信回路２７は、この受信動作の結果を周波数判定回路２８に送り、周波数判定回路２８では当該周波数毎に使用中か、使用されていない空きの状態かを再度調べ（ステップＳ３２）、この結果を制御回路２４に送る。
【００５０】
制御回路２４は、周波数判定回路２８からの判定結果から設定可能な周波数情報がある場合は、ステップＳ２７へ移行し、設定可能な周波数がない場合は、周波数設定ができない旨の情報をＬＡＮインタフェース回路２３と構内通信網６とドライバー２２を経由して保守パソコン７のＣＰＵ２０に送り（ステップＳ３３）、ＣＰＵ２０はパソコン画面上のアプリケーションソフトウェアに対して周波数設定ができない旨の表示指示を行い、周波数設定ができないことによる通信不可動作となって終了する（ステップＳ３４）。
【００５１】
図８は、本発明を構成している無線ＬＡＮシステムの保守パソコンに無線周波数設定手段を設けた例における全体概要ブロック構成図である。これは、図５乃至図７で説明したアクセスポイントに設けた無線周波数設定手段を保守パソコンに適用したものであり、図５乃至図７で説明したものと同様の部分に関しては同一の番号を付して説明している。
【００５２】
地域毎に設置されるアクセスポイント４とアクセスポイント５は構内通信網（ＬＡＮ）６に接続され、構内通信網６には保守パソコン（ＰＣ）７と外部の公衆通信網であるインターネット９が接続されており、保守パソコン７にはメモリ２５が接続されている。各アクセスポイントにはアンテナ８が設けられており、それぞれ無線通信を行うためにアンテナ８から電波を放射している。そして、アクセスポイント４によってサービスエリア４ａが構成され、アクセスポイント５によってサービスエリア５ａが構成されている。
【００５３】
なお、サービスエリア５ａ内に移動端末２が移動（在圏）しており、アンテナ３を経由してアクセスポイント５と無線通信を行っており、移動端末２にはパソコン１が接続されている。
【００５４】
また、構内通信網（ＬＡＮ）６は、有線ネットワークのことであり、ワイヤーケーブルや光ファバーケーブル等と、ルータやハブ等のネットワーク機器で構成されている。
【００５５】
図９は、無線ＬＡＮシステムの保守パソコンに無線周波数設定手段を設けた例における保守パソコン（ＰＣ）７とアクセスポイント５のブロック構成図である。図９に示すように、保守パソコン７には制御を行うＣＰＵ２０と、アプリケーションソフトウェアが記憶されているメモリ２１と、地域／周波数情報が記憶されているメモリ２５と、当該ＣＰＵ２０と構内通信網６を経由してアクセスポイント５との情報インタフェースを司るドライバー２２が搭載されており、アクセスポイント５は構内通信網６を経由して保守パソコンとのインタフェースを司るＬＡＮインタフェース回路２３と、各種動作をコントロールする制御回路２４と、保守パソコン７から送られてくる無線周波数情報を無線送受信回路２７に設定する周波数設定回路２６と、各地域毎の周波数が使用されていない空き周波数かどうかを調べる周波数判定回路２８と、移動端末との無線通信を行う無線送受信回路２７とで構成されている。
【００５６】
なお、図９のブロック構成図では、無線ＬＡＮシステムの保守パソコン７とアクセスポイント５における周波数設定手段に関するブロック構成部分のみを記載しており、他の動作（通常のデータ送受信動作等）に関するブロック構成部分は省略している。
【００５７】
図１０は、無線ＬＡＮシステムの保守パソコンに無線周波数設定手段を設けた例における周波数設定動作フローチャート図である。図１０に示すように、アクセスポイント５を設置した後に保守パソコン７とアクセスポイント５の電源を投入すると当該アクセスポイントは、近傍に移動している移動端末との無線通信を可能とするために周波数設定動作を開始する（ステップＳ４１）。最初に保守パソコン７のＣＰＵ２０からの制御により保守パソコン７のメモリ２１に記憶されているアプリケーションソフトウェアが立ち上がり、保守者に対して現在の位置する地域情報を入力するように促すメッセージ画面が現れ、入力待ちとなる（ステップＳ４２）。保守者は、保守パソコン７よりアクセスポイント５の位置する地域情報を入力する（ステップＳ４３）。
【００５８】
ここで、入力された地域情報を基にＣＰＵ２０は予めメモリ２５に記憶されているメモリマップ図を検索する。そして、メモリマップ図を検索した結果、当該地域で使用が許可されている具体的周波数情報全てを取り出し、この周波数情報をドライバー２２と構内通信網６とアクセスポイント５のＬＡＮインタフェース回路２３を経由してアクセスポイント５の制御回路２４に送り（ステップＳ４４）、制御回路２４は受信した具体的周波数情報全てを順番に周波数設定回路２６に送り、無線送受信回路２７の周波数設定を行ってから受信動作を行う。
【００５９】
無線送受信回路２７は、この受信動作の結果を周波数判定回路２８に送り、周波数判定回路２８では当該周波数毎に使用中か、使用されていない空きの状態かを調べ、この結果を制御回路２４に送る（ステップＳ４５）。
【００６０】
なお、この無線送受信回路２７と周波数判定回路２８による周波数毎の使用中か、使用されていない空きの状態かの調査動作は、周波数毎に受信信号が復調できるかどうかで調査を行い、キャリアビジーとなったら使用中と判定し、キャリアビジーとならなかったら使用可能と判定する（ステップＳ４６）。
【００６１】
制御回路２４は、周波数判定回路２８からの判定結果から使用可能な周波数情報がある場合は、当該周波数情報をＬＡＮインタフェース回路２３と構内通信網６とドライバー２２を経由して保守パソコン７のＣＰＵ２０に送り、パソコン画面上のアプリケーションソフトウェアに表示する。保守者は、パソコン画面上に表示された使用可能な周波数の中からクリック選択して周波数を選定し（ステップＳ４７）、選定された周波数情報は再びアクセスポイント５の制御回路２４に送られ、周波数設定回路２６において周波数設定が行われて動作が完了する（ステップＳ４８）。
【００６２】
一方、ステップＳ４６において、アクセスポイントを設置した地域において使用できる周波数がない場合は保守者の指定した地域情報の入力が間違っている可能性もあり、再度保守パソコン画面上にアクセスポイントの設置場所（地域）を聞くメッセージが表示され、入力待ちとなる（ステップＳ４９）。保守者は、保守パソコン７よりアクセスポイント５の位置する地域情報を再度入力する（ステップＳ５０）。
【００６３】
ここで、入力された地域情報を基にＣＰＵ２０は予めメモリ２５に記憶されているメモリマップ図を検索する。そして、メモリマップ図を検索した結果、当該地域で使用が許可されている具体的周波数情報全てを取り出し、この周波数情報をドライバー２２と構内通信網６とアクセスポイント５のＬＡＮインタフェース回路２３を経由してアクセスポイント５の制御回路２４に再度送り（ステップＳ５１）、制御回路２４は受信した具体的周波数情報全てを順番に周波数設定回路２６に送り、無線送受信回路２７の周波数設定を行ってから受信動作を行う。
【００６４】
無線送受信回路２７は、この受信動作の結果を周波数判定回路２８に送り、周波数判定回路２８では当該周波数毎に使用中か、使用されていない空きの状態かを再度調べ（ステップＳ５２）、この結果を制御回路２４に送る。
【００６５】
制御回路２４は、周波数判定回路２８からの判定結果から設定可能な周波数情報がある場合は、ステップＳ４７へ移行し、設定可能な周波数がない場合は、周波数設定ができない旨の情報をＬＡＮインタフェース回路２３と構内通信網６とドライバー２２を経由して保守パソコン７のＣＰＵ２０に送り（ステップＳ５３）、ＣＰＵ２０はパソコン画面上のアプリケーションソフトウェアに対して周波数設定ができない旨の表示指示を行い、周波数設定ができないことによる通信不可動作となって終了する（ステップＳ５４）。
【００６６】
最後に、前記発明の実施の形態において、二つのアクセスポイントと一つの移動端末で構成され例で説明したが、本発明においてはアクセスポイント数や移動端末数はこれに限定するものではなく、システム設計に基づく任意の値をとるものとする。
【００６７】
【発明の効果】
以上説明したように、本発明によれば、各地域毎の周波数仕様に合っているか、また使用されていない空き周波数かどうかの自動識別を行った周波数情報をユーザ及び保守者に提示することにより、少ない選定操作で周波数決定に至ることができる操作性の良い無線ＬＡＮシステムの周波数設定手段を提供することができるという効果が得られる。
【図面の簡単な説明】
【図１】本発明を構成している無線ＬＡＮシステムの移動端末に無線周波数設定手段を設けた例における全体概要ブロック構成図である。
【図２】無線ＬＡＮシステムの移動端末に無線周波数設定手段を設けた例におけるパソコン（ＰＣ）１と移動端末（ＭＴ）２のブロック構成図である。
【図３】移動端末２のメモリ回路１５内に設けられている地域／周波数情報のメモリマップ図である。
【図４】無線ＬＡＮシステムの移動端末に無線周波数設定手段を設けた例における周波数設定動作フローチャート図である。
【図５】本発明を構成している無線ＬＡＮシステムのアクセスポイントに無線周波数設定手段を設けた例における全体概要ブロック構成図である。
【図６】無線ＬＡＮシステムのアクセスポイントに無線周波数設定手段を設けた例における保守パソコン（ＰＣ）７とアクセスポイント５のブロック構成図である。
【図７】無線ＬＡＮシステムのアクセスポイントに無線周波数設定手段を設けた例における周波数設定動作フローチャート図である。
【図８】本発明を構成している無線ＬＡＮシステムの保守パソコンに無線周波数設定手段を設けた例における全体概要ブロック構成図である。
【図９】無線ＬＡＮシステムの保守パソコンに無線周波数設定手段を設けた例における保守パソコン（ＰＣ）７とアクセスポイント５のブロック構成図である。
【図１０】無線ＬＡＮシステムの保守パソコンに無線周波数設定手段を設けた例における周波数設定動作フローチャート図である。
【図１１】従来の無線ＬＡＮシステムにおけるアクセスポイントと移動端末のブロック構成図である。
【図１２】５．２ＧＨｚ帯広帯域移動アクセスシステム（５ＧＨｚ帯無線ＬＡＮシステム）の日本、米国及び欧州におけるチャネル配置（無線周波数割り当て）図である。
【符号の説明】
１　　パソコン（ＰＣ）
２　　移動端末（ＭＴ）
３、８　　アンテナ
４　　アクセスポイント１
５　　アクセスポイント２
６　　構内通信網（ＬＡＮ）
７　　保守パソコン
９　　インターネット
１１　　メモリ（アプリケーションソフトウェア）
１２、２２　　ドライバー
１３　　ＰＣインタフェース回路
１４、２４　　制御回路
１５、２５　　メモリ（地域／周波数情報）
１６、２６、３１、３３　　周波数設定回路
１７、２７　　無線送受信回路
１８、２８　　周波数判定回路
２３　　ＬＡＮインタフェース回路
３２、３４　　周波数データ
【図１】
2004112642.tif 000003
【図２】
2004112642.tif 000004
【図３】
2004112642.tif 000005
【図４】
2004112642.tif 000006
【図５】
2004112642.tif 000007
【図６】
2004112642.tif 000008
【図７】
2004112642.tif 000009
【図８】
2004112642.tif 000010
【図９】
2004112642.tif 000011
【図１０】
2004112642.tif 000012
【図１１】
2004112642.tif 000013
【図１２】
2004112642.tif 000014